(57)【要約】【課題】ガスミスト生成器の一部のみを使い捨てにして衛生を保つと共に低コスト化を実現できるガスミスト圧浴システムを提供する。【解決手段】ガス供給手段１０と、このガス供給手段１０との接続部と液体を貯留する液体貯留部とノズルとノズル先端に液体を送液する吸液管とノズルからのガス流によって吹き上げられた液体を衝突させる衝突部材とガスが供給されノズル上部までガスを導く円筒状のガス導入部とガス導入部の周囲でガスミストを収集し排出するドーナツ形のガスミスト排出部とを有するガスミスト生成手段３０と、生体の皮膚及び粘膜を覆いガスミスト生成手段３０からのガスミストを内部に封入する空間を形成する生体カバー部材５０と、を備え、ガスミスト生成手段３０を、少なくとも液体貯留部を他に対して取り外し可能に構成して、液体貯留部を使い捨てにする。【選択図】図１
2012148022.tif 000002
【特許請求の範囲】
【請求項１】
所定値以上の濃度の炭酸ガス、又は酸素、又は炭酸ガスと酸素の混合ガス（以下、「ガス」という）と液体を粉砕溶解させたミスト（以下、「ガスミスト」という）を生体の皮膚又は粘膜に接触させるためのシステムであって、
ガス供給手段と、
該ガス供給手段との接続部と、液体を供給する液体貯留部と、前記ガスが供給されるノズルと、該ノズル先端に前記液体を送液する吸液管と、前記ノズルからのガス流によって吹き上げられた液体を衝突させる衝突部材と、前記ガスが供給され前記ノズルの上部までガスを導く円筒状のガス導入部と、前記ガスミストを収集し排出するドーナツ形のガスミスト排出部と、を有するガスミスト生成手段と、
前記生体の皮膚及び粘膜を覆い、前記ガスミスト生成手段から供給されるガスミストを内部に封入する空間を形成する生体カバー部材と、
を備え、
前記ガスミスト生成手段において、少なくとも前記液体貯留部を取り外し可能にして他の液体貯蔵部と取替え可能に構成したことを特徴とするガスミスト圧浴システム。
【請求項２】
前記生体カバー部材内の気圧、温度、酸素濃度、炭酸ガス濃度及び湿度等の測定値を検知するセンサ類と、
該センサ類の測定値に基づき前記生体カバー部材内を予め設定された設定値の範囲内に制御する制御手段と、
をさらに備えることを特徴とする請求項１に記載のガスミスト圧浴システム。
【請求項３】
前記生体カバー部材内を加圧する加圧手段をさらに備えることを特徴とする請求項１又は２に記載のガスミスト圧浴システム。
【請求項４】
前記加圧手段が、前記生体カバー部材と連設され、該生体カバー部材内にガスミストを排出可能な中空のガス溜からなることを特徴とする請求項３に記載のガスミスト圧浴システム。
【請求項５】
前記制御手段により、前記ガスミストを間歇的に前記生体カバー部材内に供給することによって、該生体カバー部材をインターバル加圧することを特徴とする請求項２に記載のガスミスト圧浴システム。
【請求項６】
前記加圧手段が、前記生体カバー部材内に間歇的にガスミストを排出することによって、該生体カバー部材をインターバル加圧することを特徴とする請求項４に記載のガスミスト圧浴システム。
【請求項７】
前記ガスミスト生成手段が、外気を取り込むための通気孔を備えることを特徴とする請求項１乃至６の何れか一項に記載のガスミスト圧浴システム。
【請求項８】
前記液体は、水、イオン水、オゾン水、生理食塩水、精製水、又は滅菌精製水の何れか一つ又は複数の組み合わせであることを特徴とする請求項１乃至７の何れか一項に記載のガスミスト圧浴システム。
【請求項９】
前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有することを特徴とする請求項８に記載のガスミスト圧浴システム。
【請求項１０】
前記ガスミスト生成手段から前記生体カバー部材内に供給される前記ミストの粒径が、１０μｍ以下であることを特徴とする請求項１乃至９の何れか一項に記載のガスミスト圧浴システム。
【請求項１１】
前記制御手段は、ガスミスト圧浴時における前記生体カバー部材内の圧力を１．０２乃至２．５気圧に保持することを特徴とする請求項２に記載のガスミスト圧浴システム。
【請求項１２】
前記ガスミスト生成手段が供給するミストに電荷を付与する電荷付与手段をさらに備えることを特徴とする請求項１乃至１１の何れか一項に記載のガスミスト圧浴システム。
【請求項１３】
前記電荷が、マイナス電荷であることを特徴とする請求項１２に記載のガスミスト圧浴システム。
【請求項１４】
前記ガスミスト生成手段が、前記生体圧浴カバーへガスミストを供給するためのガスミスト供給管を有し、
該ガスミスト供給管が、管内に付着する液滴を除去するためのフィルターを備えることを特徴とする請求項１又は２に記載のガスミスト圧浴システム。
【請求項１５】
前記ガスミスト生成手段が、前記生体圧浴カバーへガスミストを供給するためのガスミスト供給管を有し、
該ガスミスト供給管の全部又は一部がジャバラ状の管から構成されることを特徴とする請求項１又は２に記載のガスミスト圧浴システム。
【請求項１６】
前記ガスミスト生成手段が、前記生体圧浴カバーへガスミストを供給するためのガスミスト供給管を有し、
該ガスミスト供給管に、逆止弁を設けることを特徴とする請求項１又は２に記載のガスミスト圧浴システム。
【請求項１７】
前記生体カバー部材のガスミスト供給口に、逆止弁を設けることを特徴とする請求項１又は２に記載のガスミスト圧浴システム。
【請求項１８】
前記制御手段は、前記生体カバー部材内の圧力値が所定値以上になった際は前記ガス供給手段からのガスの供給を停止することを特徴とする請求項１又は２に記載のガスミスト圧浴システム。
【請求項１９】
前記ガスミスト生成手段の取り外し可能部分が、予め滅菌処理されていることを特徴とする請求項１又は２に記載のガスミスト圧浴システム。
【発明の詳細な説明】
【技術分野】
【０００１】
本発明は、酸素、炭酸ガス、又は酸素と炭酸ガスの混合ガスと薬剤等の液体を粉砕溶解させたミストを、所定の圧力値以上で生体の皮膚又は粘膜に直接接触させることにより、皮膚又は粘膜からのガスの吸収効率を向上させるガスミスト圧浴システムに関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。
【０００３】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。
【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。
【０００５】
そこで本発明者は、酸素又は炭酸ガスに薬剤を効率よく溶解させ、これらのガスに加えて薬剤の生理作用を生体に効果的に及ぼすことができるガスミスト圧浴装置及びシステムを開発している。
【発明の概要】
【発明が解決しようとする課題】
【０００６】
上記のようなガスミスト圧浴装置の衛生を保つためには、ガスミストを生成する部位を使い捨てにすることが望ましい。しかしながら、使い捨てにする部位が大きければコストが上昇し、無駄が増えることとなる。
【０００７】
そこで本発明は、上記状況に鑑み、ガスミスト生成器の一部のみを使い捨てにして衛生を保つと共に低コスト化を実現できるガスミスト圧浴システムを提供することを目的とする。
【課題を解決するための手段】
【０００８】
本発明は、上記課題を解決するために、所定値以上の濃度の炭酸ガス、又は酸素、又は炭酸ガスと酸素の混合ガス（以下、「ガス」という）と液体を粉砕溶解させたミスト（以下、「ガスミスト」という）を生体の皮膚又は粘膜に接触させるためのシステムであって、ガス供給手段と、そのガス供給手段との接続部と、液体を貯留する液体貯留部と、前記ガスが供給されるノズルと、そのノズル先端に前記液体を送液する吸液管と、前記ノズルからのガス流によって吹き上げられた液体を衝突させる衝突部材と、前記ガスが供給され前記ノズルの上部までガスを導く円筒状のガス導入部と、前記ガスミストを収集し排出するドーナツ形のガスミスト排出部と、を有するガスミスト生成手段と、前記生体の皮膚及び粘膜を覆い、前記ガスミスト生成手段から供給されるガスミストを内部に封入する空間を形成する生体カバー部材と、を備え、前記ガスミスト生成手段において、少なくとも前記液体貯留部を取り外し可能にして他の液体貯蔵部と取替え可能に構成したことを特徴とするガスミスト圧浴システムを提供するものである。
【０００９】
なお、本願においては、液体を粉砕し微細な液滴にして気体（炭酸ガス、又は酸素、又は炭酸ガスと酸素の混合ガス）と接触混合させることを、粉砕溶解という。
【００１０】
ここで、本発明のガスミスト圧浴システムは、前記生体カバー部材内の気圧、温度、酸素濃度、炭酸ガス濃度及び湿度等の測定値を検知するセンサ類と、そのセンサ類の測定値に基づき前記生体カバー部材内を予め設定された設定値の範囲内に制御する制御手段と、をさらに備えるのが好適である。
【００１１】
また、前記生体カバー部材内を加圧する加圧手段をさらに備えるようにしても良い。なお、この加圧手段は、前記生体カバー部材と連設され、その生体カバー部材内にガスミストを排出可能な中空のガス溜からなるのが好適である。
【００１２】
なお、前記制御手段により、前記ガスミストを間歇的に前記生体カバー部材内に供給することによって、その生体カバー部材をインターバル加圧するようにしても良い。あるいは、前記加圧手段が、前記生体カバー部材内に間歇的にガスミストを排出することによって、その生体カバー部材をインターバル加圧するようにしても良い。
【００１３】
なお、前記ガスミスト生成手段は、外気を取り込むための通気孔を備えるのが好適である。
【００１４】
また、前記液体は、水、イオン水、オゾン水、生理食塩水、精製水、又は滅菌精製水の何れか一つ又は複数の組み合わせであるのが好ましい。さらに、前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有しても良い。
【００１５】
なお、前記ガスミスト生成手段から前記生体カバー部材内に供給される前記ミストの粒径は、１０μｍ以下であるのが好ましい。
【００１６】
また、前記制御手段は、ガスミスト圧浴時における前記生体カバー部材内の圧力を１．０２乃至２．５気圧に保持するのが好適である。
【００１７】
そして、前記ガスミスト生成手段が供給するミストに電荷を付与する電荷付与手段をさらに備えるようにしても良い。このとき、前記電荷は、マイナス電荷であるのが好ましい。
【００１８】
また、前記ガスミスト生成手段が、前記生体圧浴カバー内へガスミストを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。また、このガスミスト供給管には、逆止弁を設けるのが良い。
【００１９】
さらに、前記生体カバー部材のガスミスト供給口にも、逆止弁を設けるのが好ましい。なお、前記制御手段は、前記生体カバー部材内の圧力値が所定値以上になった際は前記ガス供給手段からのガスの供給を停止するのが好適である。
【００２０】
また、前記ガスミスト生成手段の取り外し可能部分は、予め滅菌処理されているのが好ましい。
【発明の効果】
【００２１】
本発明のガスミスト圧浴システムによれば、ガスミスト生成手段において、薬剤等を貯留する液体貯留部を取り外し可能にして他の液体貯蔵部と取替え可能に構成することにより、衛生に配慮すると共にコストを低下させることが可能となる。
【図面の簡単な説明】
【００２２】
【図１】本発明の第１の実施形態に係るガスミスト圧浴システムの全体概略図である。
【図２】図１のガスミスト圧浴システムにおけるガスミスト生成器の構造を示す断面模式図である。
【図３】図１のガスミスト圧浴システムにおける生成器本体の一部破断斜視図である。
【図４】図１のガスミスト圧浴システムにおいて生成器本体を密封する態様を示す模式図である。
【図５】図１のガスミスト圧浴システムにおける蓋部を下から覗いた状態の斜視図である。
【図６】図１のガスミスト圧浴システムにおける生成器本体の部分拡大断面図である。
【図７】本発明のガスミスト生成器と生体圧浴カバーとを接続するガスミスト供給管の例を示す模式図である。
【図８】本発明の第１の実施形態に係るガスミスト圧浴システムにおける生体圧浴カバーの形状例（その１）を示す模式図である。
【図９】本発明の第１の実施形態に係るガスミスト圧浴システムにおける生体圧浴カバーの形状例（その２）を示す模式図である。
【図１０】本発明の第１の実施形態に係るガスミスト圧浴システムにおける生体圧浴カバーの形状例（その３）を示す模式図である。
【図１１】本発明の第２の実施形態に係るガスミスト圧浴システムの全体概略図である。
【図１２】本発明の第２の実施形態に係るガスミスト圧浴システムにおける生体圧浴カバーの形状例（その１）を示す模式図である。
【図１３】本発明の第２の実施形態に係るガスミスト圧浴システムにおける生体圧浴カバーの形状例（その２）を示す模式図である。
【図１４】本発明の第３の実施形態に係るガスミスト圧浴システムの全体概略図である。
【発明を実施するための形態】
【００２３】
以下、本発明の実施の形態について、図面を参照しながら詳細に説明する。
【００２４】
〔第１の実施形態〕
図１は、本発明の第１の実施形態に係るガスミスト圧浴システムの全体概略図である。図１に示すように、本実施形態のガスミスト圧浴システムは、酸素、炭酸ガス、又は酸素と炭酸ガスの混合ガス（以下、単にガスという）を供給するガス供給手段１０と、ガスミスト生成手段としてのガスミスト生成器３０と、供給されたガスミストを内部に封入する生体カバー手段としての生体圧浴カバー５０と、制御手段としての制御装置６０と、から構成される。
【００２５】
ガス供給手段１０は、後述するガスミスト生成器３０のノズル３３及びガス導入部３７にガスを供給する。ガス供給手段１０には、図示しないがガスの圧力調整のためのレギュレータが設けられている。また、ガスを加温するためのヒータと温度制御のための温度計を配置しても良い。
【００２６】
なお、ここでは一つのガス供給手段１０でガスミスト生成器３０のノズル３３及びガス導入部３７の双方にガスを供給する例を図示したが、複数のガス供給手段１０を備えて、ノズル３３とガス導入部３７にそれぞれ異なるガス供給手段１０からのガスを供給するようにしても良い。このとき供給するガスは、それぞれ異なっても同じものでも良い。
【００２７】
ガスミスト生成器３０は、予め内部に液体を貯留して、ガス供給手段１０から供給されるガスの高速流により、液体とガスを粉砕溶解したガスミストを生成し、これを生体圧浴カバー５０に供給する。図２は、ガスミスト生成器３０の構造を示す断面模式図である。図２に示すように、ガスミスト生成器３０は、生成器本体３１と、ガス供給手段接続部３５と、蓋部３６とから構成されている。
【００２８】
図３は、生成器本体３１の一部破断斜視図である。図３に示すように、生成器本体３１は、液体を貯留する液体貯留部３２と、ガス供給手段１０から供給されるガスを先端開口３３Ａから吐出するノズル３３と、液体貯留部３２に貯留された液体をノズル３３の先端まで吸い上げる吸液管３４Ａを構成する吸液管形成部材３４と、を備えている。
【００２９】
液体貯留部３２は、図２及び図３に示すように、生成器本体３１の底部内側と側壁の一部の内側から形成されている。この液体貯留部３２には予め製造段階において所定の液体が貯留される。そして、液体が貯留された状態で図４に示すように生成器本体３１は密封される。図４は、生成器本体３１を密封する態様を示す模式図である。図４（ａ）は、生成器本体３１の上部と下部をゴム等の弾性部材からなる栓３１Ａ、３１Ｂで封じた例を示している。また、図４（ｂ）では、生成器本体３１の上部をアルミやプラスチック等からなるフィルム３１Ｃで熱や接着剤等を用いて蓋をし、下部をゴム等の弾性部材からなる栓３１Ｂで封じた例を示している。
【００３０】
このように、本発明では、ガスミスト生成器３０において、少なくとも前記液体貯留部３２を取り外し可能にして他の新たな液体貯蔵部３２と取替え可能に構成することで、使い捨て部品を少なくしコストの抑制を図る。また、生成器本体３１は密封して提供され、その都度使い捨てにすることで衛生を保つことができる。特に、本発明では、液体貯留部３２を使い捨て可能にし新たな液体貯留部３２と交換することで液体貯留部３２に薬液等の液体を補給するための構成を省くことが可能となり、コンパクト化と低コスト化を実現することができる。なお、この取り外しが可能なガスミスト生成器本体３１は、製造段階で予め滅菌処理されるのが好適である。また、使い捨てにしない部分も使用前に予め滅菌処理される。
【００３１】
ここで、液体貯留部３２に貯留する液体は、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、育毛剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウムを添加しても良い。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００３２】
生成器本体３１（液体貯留部３２）の底部中央には、ノズル３３が設けられている。このノズル３３は、液体貯留部３２の底から隆起して、生成器本体３１の上部に向かって絞られる略円錐形状に形成されている。ノズル３３の基端にはガス供給手段接続部３５のガス吐出口３５Ａが接続され、ノズル３３の先端開口３３Ａからはガスを吐出可能である。
【００３３】
吸液管３４Ａは、ノズル３３の外周面と、ノズル３３より一回り大きい略円錐筒状の吸液管形成部材３４との間に形成される。即ち、図２に示すように、ノズル３３に吸液管形成部材３４を被せるように配置することにより、ノズル３３の外周面と吸液管形成部材３４の内周面との間に吸液管３４Ａが形成される。図示は省略したが吸液管形成部材３４の基端（略円錐筒状部の下部）には微少な爪状突起部が設けられているため、吸液管形成部材３４の基端と液体貯留部３２の底面には隙間が形成されており、この隙間から液体貯留部３２に貯留された液体が吸液管３４Ａによって吸い上げられる。また、吸液管形成部材３４の先端部３４Ｂは、ノズル３３の先端開口３３Ａの近傍で開口しており、ノズル３３から吐出されるガス流に、吸液管３４Ａが吸い上げた液体が突き当たるように構成されている。
【００３４】
ガス供給手段接続部３５は、ガス供給手段１０との接続部であり、ガス供給手段１０から供給されるガス流は、ガス供給手段接続部３５内で二つに分岐され（図２の分岐部３５Ｂ）、一方はノズル３３に、他方は後述するガス導入部３７に供給される。
【００３５】
蓋部３６は、生成器本体３１の上部に装着し、生成されたガスミストを生体圧浴カバー５０へ導出する部材である。また、生成器本体３１内にノズル３３とは別途にガスを供給することで、生体圧浴カバー５０へのガスミストの供給圧を上げるための部材である。蓋部３６の詳細を図５に示す。図５は、蓋部３６を底側から覗いた状態の斜視図である。
【００３６】
蓋部３６は、ガスを生成器本体３１内に導入すると共にガスミストを排出する気流を作るためのガス導入部３７と、ノズル３３の先端開口３３Ａと対向する位置に配置されるバッフル（衝突部材）３８と、ガスミストを収集して生体圧浴カバー５０へ排出するためのガスミスト排出部３９とを備える。
【００３７】
ガス導入部３７は、蓋部３６の外部から生成器本体３１のノズル３３周辺までガスを導く略円筒体であり、ガス供給手段接続部３５で分岐されたガスがここから生成器本体３１内へ供給される。ガス導入部３７の上端部には、ガス供給手段接続部３５にチューブ等で接続されるガス導入口３７Ａが設けられている。ガス導入口３７Ａには、ここでは図示していないが、外気を取り込むための通気孔を設けるようにしても良い。なお、ガス供給手段接続部３５とガス導入口３７Ａとを接続するチューブ等には、図１及び図２に示すようにガス導入部３７へのガス供給量を調節するための流量調整器（例えばバルブ）３５Ｃを配置しても良い。
【００３８】
バッフル３８は、バッフル支持部３８Ａによってガス導入部３７の下端近傍に配置される。なお、ここではバッフル３８が蓋部３６に固定されている例を示しているが、生成器本体３１側に配置するようにしても良い。
【００３９】
ガスミスト排出部３９は、蓋部３６の内側の側部及び上部等によって円筒状のガス導入部３７の周囲に形成されている、ドーナツのような形状の空間である。なお、上述したように、ガス導入部３７は円筒状の形状、ガスミスト排出部３９はドーナツ型の形状が望ましいが、必ずしもこれに限定されるものではない。このように、ガスミスト排出部３９の空間を仕切らずに広く取ることで、ミストの排出をスムーズにすると共にミストの液化を防ぐことができる。また、これによって構造が簡潔となることから、蓋部３６の洗浄効率が上がり衛生的に使用することができる。
【００４０】
ノズル３３及びバッフル３８によって生成されたガスミストは、ガス導入部３７からのガスによってガスミスト排出部３９へと追いやられる。ガスミスト排出部３９はそのガスミストを生体圧浴カバー５０へと導く。なお、ガスミスト排出部３９の上部には、ガスミスト生成器３０と生体圧浴カバー５０とを繋ぐガスミスト供給管４１に接続される、ガスミスト排出口３９Ａが設けられている。
【００４１】
ガスミスト供給管４１は、その全部又は一部を図７に示すような管径の太い柔軟なジャバラ状の管で構成すれば、自在に曲がり、伸縮させることもできるため、使用者の動きを制限することもない。また、ガスミスト供給管４１を流れるガスミストが液化してもジャバラの凹凸部にその液体を取り除くことが可能となる。
【００４２】
ガスミスト供給管４１の内部にはガスミストの逆流を防止するための逆止弁を設けるようにする。また、ガスミスト供給管４１には、図示しないが管内に付着する余分な液滴を取り除くための液滴除去フィルターを設けるようにしても良い。
【００４３】
生体圧浴カバー５０は、生体（ここでは例として、人体の下肢）の皮膚及び粘膜を覆い、ガスミストを内部に封入する空間を形成できるカバーである。例として、図１では人体の下肢を覆うズボンのような形状を図示している。この生体圧浴カバー５０は、耐圧性、非通気性、非透湿性素材から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適であり、これらの素材の多層構造としてもよい。
【００４４】
生体圧浴カバー５０は、ガスミスト供給管４１に接続され、ガスミストを内部に導入するための供給口５１を備えている。この供給口５１の内部には、ガスミストの逆流を防ぐための逆止弁が設けられている。また、生体圧浴カバー５０には、内部の圧力を調整するため、ガスミストを排出できる開口や弁を設けるようにしても良い。そして、これらの圧力調整は手動で行われても良いが、後述する圧力計７１の計測値に基づき、ガスミストの供給制御と共に制御装置６０により自動的に行われるのが望ましい。また、生体圧浴カバー５０内が一定圧力値以上になると自動的に弁が開く安全弁（逃し弁）を設けるようにしても良い。
【００４５】
生体圧浴カバー５０内には、その内部の圧力を計測するための圧力計７１が設置されている。制御装置６０は、生体圧浴カバー５０内の圧力値を１気圧以上（より好適には、１．０２〜２．５気圧）に保つため、この圧力計７１の計測値に基づき、ガスミストの生成、供給を制御する。例えば、ガス供給手段１０からのガスの供給を調整、停止したり、生体圧浴カバー５０からガスミストを排出したりする。また、生体圧浴カバー５０の内部には生体圧浴カバー５０内の温度を計測するための温度計７２が設置されている。制御装置６０は、生体圧浴カバー５０内を温浴効果が得られる設定温度（例えば３８℃程度）に保つため、温度計７２の計測値に基づきガス供給手段１０に設けられたヒータのオン・オフ等を行う。このほか、生体圧浴カバー５０内には、酸素濃度、炭酸ガス濃度、湿度等を計測するセンサを設置して制御装置６０によってカバー内を予め設定された値の範囲内に制御するようにしても良い。
【００４６】
生体圧浴カバー５０の開口部には、生体（ここでは人体の下肢）への着脱を可能にすると共に内部に封入したガスミストの漏出を防ぐための止着部５２が設けられている。止着部５２は、例えば伸縮性のある面ファスナーにより構成されるのが好適である。あるいは、紐やゴム等を単独、又は組み合わせて用いても良い。さらに、生体圧浴カバー５０内の密閉性を高めるため、生体圧浴カバー５０の内側面（止着部５２の内側面等）に使用者の皮膚に粘着する素材を配置しても良い。この粘着素材は、例えばポリウレタンやシリコンゴム等からなる粘弾性ゲルであるのが好ましい。さらにこの粘着素材は取り外し可能に設けられ、使用の都度あるいは粘性が低くなれば交換できる構成とするのが良い。
【００４７】
制御装置６０は、ＣＰＵ、メモリ、ディスプレイを備えたコンピュータから構成される。そして、ガス供給手段１０から供給されるガスの圧力調整やオン・オフ切替、ガスミストの供給のオン・オフ切替等々の各種制御を行い、最適な状態でガスミスト圧浴が行えるようにする。特に、生体圧浴カバー５０内の圧力値が所定値以上になった場合、制御装置６０によりガス供給手段１０のガス供給を停止するように構成するのが好適である。
【００４８】
以下、上記第１の実施形態のガスミスト圧浴システムを用いてガスミスト圧浴を行う手順の一例について説明する。
【００４９】
まず、密封された生成器本体３１を開封して、ガス供給手段接続部３５と蓋部３６をセットし、ガスミスト生成器３０を完成させる。次いで、ガス供給手段１０、ガスミスト生成器３０、生体圧浴カバー５０、制御装置６０等を各々接続する。生体圧浴カバー５０は生体（ここでは人体の下肢）に固定して密閉する。そしてガス供給手段１０からガスミスト生成器３０へのガスの供給を開始する。
【００５０】
ガスがノズル３３に供給されると、ノズル３３は図６に示すように先端に向かって狭窄されているため、ガスは流速を増して吐出される。液体はこのときの気流により発生する負圧で吸液管３４Ａを吸い上げられ、吸液管３４Ａの先端部３４Ｂでガスに吹き上げられてバッフル３８に衝突し、ミストが生成される。この衝突によって生成されるミストの粒径は微細であることが望ましく、具体的には１０μｍ以下であるのが最適である。このように微細に粉砕されたミストは、マイナスイオンの効果を発揮することができる。
【００５１】
ガスはさらにガス導入部３７からも生成器本体３１内に供給されて、生成されたガスミストの排出圧を高くする。ガスミストを生成する間、制御装置６０は、ガスの供給圧や温度等の調整を行う。
【００５２】
生成されたガスミストは、ガスミスト排出部３９からガスミスト供給管４１を介して生体圧浴カバー５０へ排出される。制御装置６０は圧力計７１、温度計７２の計測値から、生体圧浴カバー５０内が最適な加圧、加温状態（約１．０２〜２．５気圧、約３８℃）に保たれるように各手段を調整し、この状態でガスミスト圧浴が行われる。
【００５３】
なお、上記ではガスミスト圧浴を行う生体の部位として、人体の下肢を例にとって説明したが、本発明は様々な部位に適用することができる。その場合、対象とする部位に合わせた形状の生体圧浴カバー５０を用いて最適なガスミスト圧浴を行うようにする。
【００５４】
図８乃至図１０に様々な生体圧浴カバー５０の形状の例を示す。まず、図８に人体の上半身用の生体圧浴カバー５０Ａの概略を示す。この生体圧浴カバー５０Ａは、上半身全体を覆い包む形状をしており、腰部の開口には着脱を可能にすると共に内部に封入したガスミストの漏出を防ぐための止着部５２Ａが設けられている。また、首部の開口にも同様に止着部５３Ａが設けられている。なお、５１Ａはガスミストを内部に導入するための供給口である。
【００５５】
図９は、生体のさらに局所的な部位を覆う生体圧浴カバー５０の形状の例を示している。図９（ａ）は、人体の片下肢（膝下部）用の生体圧浴カバー５０Ｂである。この生体圧浴カバー５０Ｂには、その開口部に止着部５２Ｂが設けられると共に、ガスミストを内部に導入するための供給口５１Ｂが設けられている。図９（ｂ）は、人体の足部用の生体圧浴カバー５０Ｃである。この生体圧浴カバー５０Ｃには、その開口部に止着部５２Ｃが設けられると共に、ガスミストを内部に導入するための供給口５１Ｃが設けられている。図９（ｃ）は、人体の前腕用の生体圧浴カバー５０Ｄである。この生体圧浴カバー５０Ｄには、その開口部に止着部５２Ｄが設けられると共に、ガスミストを内部に導入するための供給口５１Ｄが設けられている。図９（ｄ）は、人体の手部用の生体圧浴カバー５０Ｅである。この生体圧浴カバー５０Ｅには、その開口部に止着部５２Ｅが設けられると共に、ガスミストを内部に導入するための供給口５１Ｅが設けられている。
【００５６】
さらに図１０は、パッチ状の生体圧浴カバー５０Ｆの例を示している。図１０（ａ）は、そのパッチ状の生体圧浴カバー５０Ｆの概略を示す図、図１０（ｂ）はそのパッチ状の生体圧浴カバー５０Ｆを生体（ここでは人体下肢）に装着した際の外観を示す図である。生体圧浴カバー５０Ｆは、生体の皮膚及び粘膜を覆うカバー部５４Ｆと、そのカバー部５４Ｆの周縁に設けられて生体の皮膚及び粘膜へ直接貼着される止着部５２Ｆと、カバー部５４Ｆを生体に固定するためのベルトや紐等からなる固定部５３Ｆと、カバー部５４Ｆと止着部５２Ｆが形成する空間内にガスミストを供給するための供給口５１Ｆとから構成されている。
【００５７】
生体圧浴カバー５０は、図８乃至図１０に示したこれらの例の他にも様々な形状が考えられる。特に、本発明は人体だけでなく動物等生体全般に適用することが可能なため、生体圧浴カバー５０も使用対象と使用部位に合わせた形状を採用する。要は生体の皮膚及び粘膜を覆い、ガスミストを内部に封入する空間を形成できる形状であればどのような形状であっても良い。なお、ここでは図示を省略したが、生体圧浴カバー５０内のガスミストの排出や圧力調整を行うための排気口が設けられるのが好適である。
【００５８】
なお、ガスミスト圧浴においては生体圧浴カバー５０によって所定の圧力値以上で生体の皮膚及び粘膜にガスミストを接触させるが、このような加圧は所定のインターバルでパルス状に行うことにより効果が高まる。そのため、制御装置６０はガスミストを一定のリズムで間歇的に生体圧浴カバー５０内に供給するようにしても良い。その際のインターバル加圧の間隔は、脈の拍動に同期させると効果が高くなる。
【００５９】
〔第２の実施形態〕
図１１は、本発明の第２の実施形態に係るガスミスト圧浴システムの全体概略図である。本実施形態では、生体圧浴カバー内の加圧を容易にする加圧手段をさらに備えたガスミスト圧浴システムについて説明する。なお、図１に示す第１の実施形態と同一の部分については、同一の符号を付して詳細な説明は省略する。
【００６０】
図１１に示すように、本実施形態のガスミスト圧浴システムでは、ガスミストを内部に封入する空間を形成する生体圧浴カバー８０と、この生体圧浴カバー８０と連設され生体圧浴カバー８０内を加圧する加圧手段９０とを備えている。
【００６１】
生体圧浴カバー８０は、第１の実施形態で示した生体圧浴カバー５０とほぼ同じ構造であり、ガスミストの供給口８１と止着部８２を備えている。ただし、供給口８１は本実施形態では加圧手段９０と接続されている。なお、ここでは例として、人体の手部を覆う形状の生体圧浴カバー８０を図示している。
【００６２】
加圧手段９０は、生体圧浴カバー８０内を加圧するため、生体圧浴カバー８０と連設される中空のガス溜部９１を備えている。このガス溜部９１は、耐圧性、非通気性、非透湿性を有する柔軟な素材から構成される。また、加圧手段９０は、生体圧浴カバー８０の供給口８１と接続されると共に、自身も供給口９２を備えており、ここからガス溜部９１内部にガスミストが供給される。なお、加圧手段９０の供給口９２にも内部にガスミストの逆流を防止するための逆止弁が設けられている。
【００６３】
加圧手段９０により生体圧浴カバー８０を加圧する際には、生体圧浴カバー８０内に適度なガスミストが溜まっている状態で、ガス溜部９１にガスミストを溜める。そして、図１１の矢印に示すようにガス溜部９１を押し潰すように加圧すると、ガス溜部９１内のガスミストが生体圧浴カバー８０内に排出されるため、生体圧浴カバー８０内を加圧することができる。
【００６４】
なお、加圧手段９０は、手動で押圧する構成としても良いし、駆動装置等を用いて制御装置６０の制御で機械的に行っても良い。また前述の通り、ガスミスト圧浴における加圧は、所定のインターバルでパルス状に行うことにより効果が高まるため、加圧手段９０を一定のリズムで間歇的に押圧するのが効果的である。
【００６５】
そこで、本実施形態のガスミスト圧浴システムを用いてガスミスト圧浴を行う際には、まず、密封された生成器本体３１を開封して、ガス供給手段接続部３５と蓋部３６をセットし、ガスミスト生成器３０を完成させる。次いで、ガス供給手段１０、ガスミスト生成器３０、生体圧浴カバー８０、制御装置６０等を各々接続する。生体圧浴カバー８０は生体（ここでは人体の手部）に固定して密閉する。そしてガス供給手段１０からガスミスト生成器３０へのガスの供給を開始し、ガスミストを生成する。この間、制御装置６０は、液体及びガスの供給圧や量、温度等の調整を行う。
【００６６】
生成されたガスミストは、ガスミスト排出部３９からガスミスト供給管４１を介して加圧手段９０及び生体圧浴カバー８０へ排出される。制御装置６０は温度計７２の計測値から、生体圧浴カバー８０内が最適な加温状態（例えば約３８℃）に保たれるように各手段を調整する。そして、生体圧浴カバー８０と加圧手段９０に最適な量のガスミストが溜まったところで、加圧手段９０を押圧して生体圧浴カバー８０を適度に加圧し（約１．０２〜２．５気圧）、ガスミスト圧浴を行う。
【００６７】
第１の実施形態でも述べた通り、生体の種々の部位に適用するため、生体圧浴カバー８０は様々な形状のものを用いることができる。ただし、本実施形態の場合、生体圧浴カバー８０は加圧手段９０で容易に加圧可能な大きさである必要がある。例えば加圧手段９０を手動で押圧する場合、加圧手段９０の大きさは人が両手で掴める程度である必要があり、そのような加圧手段９０で加圧できる生体圧浴カバー８０の大きさも、ある程度限定される。また、駆動装置等で加圧する場合あっても、加圧手段９０もこれを押圧する押圧手段も現実的にはあまり場所を取らないコンパクトなものが望ましいため、本実施形態の場合比較的コンパクトな（生体の局所的部位を覆う）生体圧浴カバー８０への適用が向いている。
【００６８】
図１２及び図１３に、本実施形態の適用が向く生体圧浴カバー８０とこれに接続される加圧手段９０の形状の例を示す。図１２（ａ）は、人体の片下肢（膝下部）用の生体圧浴カバー８０Ａである。この生体圧浴カバー８０Ａには、ガスミストを内部に導入するための供給口８１Ａが設けられると共に、その開口部に止着部８２Ａが設けられている。供給口８１Ａには加圧手段９０Ａが接続されている。加圧手段９０Ａは、ガス溜部９１Ａと供給口９２Ａを備えている。図１２（ｂ）は、人体の足部用の生体圧浴カバー８０Ｂである。この生体圧浴カバー８０Ｂには、ガスミストを内部に導入するための供給口８１Ｂが設けられると共に、その開口部に止着部８２Ｂが設けられている。供給口８１Ｂには加圧手段９０Ｂが接続されている。加圧手段９０Ｂは、ガス溜部９１Ｂと供給口９２Ｂを備えている。図１２（ｃ）は、人体の前腕用の生体圧浴カバー８０Ｃである。この生体圧浴カバー８０Ｃには、ガスミストを内部に導入するための供給口８１Ｃが設けられると共に、その開口部に止着部８２Ｃが設けられている。供給口８１Ｃには加圧手段９０Ｃが接続されている。加圧手段９０Ｃは、ガス溜部９１Ｃと供給口９２Ｃを備えている。
【００６９】
図１３は、パッチ状の生体圧浴カバー８０Ｄの例を示している。図１３（ａ）はそのパッチ状の生体圧浴カバー８０Ｄの概略を示す図、図１３（ｂ）はそのパッチ状の生体圧浴カバー８０Ｄを生体（ここでは人体下肢）に装着した際の外観を示す図である。生体圧浴カバー８０Ｄは、生体の皮膚及び粘膜を覆うカバー部８４Ｄと、そのカバー部８４Ｄの周縁に設けられて生体の皮膚及び粘膜へ直接貼着される止着部８２Ｄと、カバー部８４Ｄを生体に固定するためのベルトや紐等からなる固定部８３Ｄと、カバー部８４Ｄと止着部８２Ｄが形成する空間内にガスミストを供給するための供給口８１Ｄとから構成されている。供給口８１Ｄには加圧手段９０Ｄが接続されている。加圧手段９０Ｄは、ガス溜部９１Ｄと供給口９２Ｄを備えている。
【００７０】
なお、ここでは図示を省略したが、生体圧浴カバー８０内のガスミストの排出や圧力調整を行うための排気口が設けられるのが好適である。
【００７１】
また、上記実施形態では、加圧手段９０を生体圧浴カバー８０に連設される中空のガス溜部９１から構成したが、この他生体圧浴カバー８０自体を外周から押し潰すように圧迫する部材等、生体圧浴カバー８０を簡便に加圧できるものであればどのようなものを用いても良い。
【００７２】
〔第３の実施形態〕
図１４は、本発明の第３の実施形態に係るガスミスト圧浴システムの全体概略図である。本実施形態では、発生させたミストを帯電させるための電荷付与手段をさらに備えたガスミスト圧浴システムについて説明する。なお、図１に示す第１の実施形態と同一の部分については、同一の符号を付して詳細な説明は省略する。
【００７３】
図１４に示すように、本実施形態のガスミスト圧浴システムでは、ガスミスト生成器３０のガスミスト排出口３９Ａの出口近傍に、電極２２が配置されている。電極２２は電源装置２１に接続されており、制御装置６０により電圧値の設定、及びオン・オフの制御が行われる。
【００７４】
電極２２は、ガスミスト生成器３０が生成したミストが排出される際に、電荷（マイナスの電荷が望ましい）を付与する。それによりミストを帯電状態とし、荷電した物体への付着性を高めることができる。即ち、生体の皮膚及び粘膜への付着性を向上させれば、ガスミスト圧浴によるガスの吸収率向上の効果をさらに高め、ガスミストに上述したような薬剤が含まれる場合は、同様に皮膚及び粘膜への浸透をより促進させることが可能となる。
【００７５】
そこで、本実施形態のガスミスト圧浴システムを用いてガスミスト圧浴を行う際には、まず、密封された生成器本体３１を開封して、ガス供給手段接続部３５と蓋部３６をセットし、ガスミスト生成器３０を完成させる。次いで、ガス供給手段１０、ガスミスト生成器３０、生体圧浴カバー５０、制御装置６０等を各々接続する。生体圧浴カバー５０は生体（ここでは人体の下肢）に固定して密閉する。そしてガス供給手段１０からガスミスト生成器３０へのガスの供給を開始し、ガスミストを生成する。この間、制御装置６０は、液体及びガスの供給圧や量、温度等の調整を行う。また、制御装置６０は、電源装置２１をオンにし、電極２２からミストに電荷を付与する。
【００７６】
生成されたガスミストは、ガスミスト排出部３９からガスミスト供給管４１を介して生体圧浴カバー５０へ排出される。制御装置６０は圧力計７１、温度計７２の計測値から、生体圧浴カバー５０内が最適な加圧、加温状態（約１．０２〜２．５気圧、約３８℃）に保たれるように各手段を調整し、この状態でガスミスト圧浴が行われる。
【００７７】
上記のように構成したため、本発明のガスミスト圧浴システムによれば、ガスミスト生成手段において、液体貯留部を取り外し可能にして他の液体貯蔵部と取替え可能にすることで、衛生に配慮すると共にコストを低下させることを実現している。
【００７８】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００７９】
本発明は、酸素、炭酸ガス、又は酸素と炭酸ガスの混合ガスと薬剤等の液体を粉砕溶解させたミストを、所定の圧力値以上で生体の皮膚又は粘膜に直接接触させることにより、皮膚又は粘膜からのガスの吸収効率を向上させるガスミスト圧浴システムに関し、産業上の利用可能性を有する。
【符号の説明】
【００８０】
１０    ガス供給手段
２１    電源装置
２２    電極
３０    ガスミスト生成器
３１    生成器本体
３１Ａ、３１Ｂ  栓
３１Ｃ  フィルム
３２    液体貯留部
３３    ノズル
３３Ａ  先端開口
３４    吸液管形成部材
３４Ａ  吸液管
３４Ｂ  先端部
３５    ガス供給手段接続部
３５Ａ  ガス吐出口
３５Ｂ  分岐部
３５Ｃ  流量調整器
３６    蓋部
３７    ガス導入部
３８    バッフル
３８Ａ  バッフル支持部
３９    ガスミスト排出部
４１    ガスミスト供給管
５０、５０Ａ、５０Ｂ、５０Ｃ、５０Ｄ、５０Ｅ、５０Ｆ  生体圧浴カバー
５１、５１Ａ、５１Ｂ、５１Ｃ、５１Ｄ、５１Ｅ、５１Ｆ  供給口
５２、５２Ａ、５２Ｂ、５２Ｃ、５２Ｄ、５２Ｅ、５２Ｆ  止着部
５３Ａ  止着部
５３Ｆ  固定部
５４Ｆ  カバー部
６０    制御装置
７１    圧力計
７２    温度計
８０、８０Ａ、８０Ｂ、８０Ｃ、８０Ｄ  生体圧浴カバー
８１、８１Ａ、８１Ｂ、８１Ｃ、８１Ｄ  供給口
８２、８２Ａ、８２Ｂ、８２Ｃ、８２Ｄ  止着部
８３Ｄ  固定部
８４Ｄ  カバー部
９０、９０Ａ、９０Ｂ、９０Ｃ、９０Ｄ  加圧手段
９１、９１Ａ、９１Ｂ、９１Ｃ、９１Ｄ  ガス溜部
９２、９２Ａ、９２Ｂ、９２Ｃ、９２Ｄ  供給口
【図１】
2012148022.tif 000003
【図２】
2012148022.tif 000004
【図３】
2012148022.tif 000005
【図４】
2012148022.tif 000006
【図５】
2012148022.tif 000007
【図６】
2012148022.tif 000008
【図７】
2012148022.tif 000009
【図８】
2012148022.tif 000010
【図９】
2012148022.tif 000011
【図１０】
2012148022.tif 000012
【図１１】
2012148022.tif 000013
【図１２】
2012148022.tif 000014
【図１３】
2012148022.tif 000015
【図１４】
2012148022.tif 000016